Podtech/llm-jp-corpus-v4-ja_patent huggingface dataset:
【手続補正書】
【提出日】平成24年3月2日(2012.3.2)
【手続補正１】
【補正対象書類名】特許請求の範囲
【補正対象項目名】全文
【補正方法】変更
【補正の内容】
【特許請求の範囲】
【請求項１】
標的核酸を分析する方法であって、
ａ）合成プローブ及び熱安定性ＦＥＮ−１エンドヌクレアーゼの存在下にて、前記合成プローブが増幅反応中に切断されて切断断片を生成する条件下で、標的核酸をポリメラーゼ連鎖反応により増幅する工程であって、前記合成プローブが分析物特異的部分及び非標的部分を含むフットプリントプローブであり、前記非標的部分が前記標的核酸に対して実質的に非相補的であり、前記分析物特異的部分の長さが１２ヌクレオチド以下であり、前記分析物特異的部分が前記標的核酸に対して相補的である最高１２ヌクレオチドを含み、前記フットプリントプローブの前記分析物特異的部分が、前記等温反応を実施する温度より少なくとも５℃低い前記標的に対する計算Ｔｍ値を有し、又は前記増幅反応が熱サイクル反応である場合、前記フットプリントプローブの前記分析物特異的部分が、前記熱サイクルで用いられる最低温度より少なくとも５℃低い前記標的に対する計算Ｔｍ値を有する、上記工程と；
ｂ）前記増幅反応中に前記切断断片を検出する工程と、
を含む方法。
【請求項２】
前記増幅が等温反応で行われる場合、前記フットプリントプローブの前記分析物特異的部分が、前記等温反応を実施する温度より少なくとも８℃低い前記標的に対する計算Ｔｍ値を有し、又は前記増幅反応が熱サイクル反応である場合、前記フットプリントプローブの前記分析物特異的部分が、前記熱サイクルで用いられる最低温度より少なくとも８℃低い前記標的に対する計算Ｔｍ値を有する、請求項１に記載の方法。
【請求項３】
前記増幅が等温反応で行われる場合、前記フットプリントプローブの前記分析物特異的部分が、前記等温反応を実施する温度より少なくとも１０℃低い前記標的に対する計算Ｔｍ値を有し、又は前記増幅反応が熱サイクル反応である場合、前記フットプリントプローブの前記分析物特異的部分が、前記熱サイクルで用いられる最低温度より少なくとも１０℃低い前記標的に対する計算Ｔｍ値を有する、請求項１に記載の方法。
【請求項４】
前記合成プローブが標識されていない、請求項１に記載の方法。
【請求項５】
前記合成プローブが非天然ヌクレオチドを含まない、及び／又は副溝バインダー部分を含まない、請求項１に記載の方法。
【請求項６】
前記合成プローブの前記非標的部分の長さが少なくとも１０ヌクレオチドである、請求項１に記載の方法。
【請求項７】
前記標的核酸がＲＮＡであり、前記方法が前記増幅前に又は前記増幅と同時に前記ＲＮＡを逆転写する工程を更に含む、請求項１に記載の方法。
【請求項８】
前記増幅がプライマーオリゴヌクレオチドを使用するものであり、前記合成プローブの前記分析物特異的部分が、前記標的核酸に対する少なくとも１つのプライマーオリゴヌクレオチドの計算Ｔｍ値より少なくとも５℃低い前記標的核酸に対する計算Ｔｍ値を有する、請求項１に記載の方法。
【請求項９】
前記合成プローブの前記分析物特異的部分が、前記標的核酸に対する少なくとも１つのプライマーオリゴヌクレオチドの計算Ｔｍ値より少なくとも８℃低い前記標的核酸に対する計算Ｔｍ値を有する、請求項８に記載の方法。
【請求項１０】
前記合成プローブの前記分析物特異的部分が、前記標的核酸に対する少なくとも１つのプライマーオリゴヌクレオチドの計算Ｔｍ値より少なくとも１０℃低い前記標的核酸に対する計算Ｔｍ値を有する、請求項８に記載の方法。
【請求項１１】
前記プローブの前記分析物特異的部分が、１１以下のヌクレオチドを含む、請求項１に記載の方法。
【請求項１２】
前記プローブの前記分析物特異的部分が、１０以下のヌクレオチドを含む、請求項１に記載の方法。
【請求項１３】
前記プローブの前記分析物特異的部分が、９以下のヌクレオチドを含む、請求項１に記載の方法。
【請求項１４】
前記プローブの前記分析物特異的部分が、８以下のヌクレオチドを含む、請求項１に記載の方法。
【請求項１５】
前記プローブの前記分析物特異的部分が、７以下のヌクレオチドを含む、請求項１に記載の方法。
【請求項１６】
前記プローブの前記分析物特異的部分が、６以下のヌクレオチドを含む、請求項１に記載の方法。
【請求項１７】
前記プローブが切断される前に切断構造が形成され、前記切断構造が、ａ）前記標的核酸の第１の領域における前記合成プローブ、及びｂ）前記標的核酸の第１の領域の下流に存在する前記標的核酸の第２の領域における第２のオリゴヌクレオチドと、前記標的核酸との会合により形成される、請求項１に記載の方法。
【請求項１８】
前記標的核酸の第２の領域が第１の領域に隣接している、請求項１７に記載の方法。
【請求項１９】
前記切断構造において、第２のオリゴヌクレオチドの３’末端において少なくとも１個のヌクレオチドが、前記プローブと前記標的核酸とのハイブリダイゼーション領域と重複する、請求項１７に記載の方法。
【請求項２０】
前記切断構造において、第２のオリゴヌクレオチドの３’末端ヌクレオチドが、前記標的核酸に対して非相補的である、請求項１９に記載の方法。
【請求項２１】
第２のオリゴヌクレオチドが前記増幅で用いられるプライマーオリゴヌクレオチドでもある、請求項１７に記載の方法。
【請求項２２】
前記切断断片の検出が、１つ以上の前記切断断片を合成検出オリゴヌクレオチドと会合させることを含む、請求項１に記載の方法。
【請求項２３】
前記合成検出オリゴヌクレオチドが標識を含む、請求項２０に記載の方法。
【請求項２４】
前記標識が蛍光標識である、請求項２３に記載の方法。
【請求項２５】
前記合成検出オリゴヌクレオチドが蛍光クエンチャー部分を更に含む、請求項２４に記載の方法。
【請求項２６】
前記切断断片が、前記合成検出オリゴヌクレオチドと会合したとき、前記熱安定性ＦＥＮ−１エンドヌクレアーゼにより切断可能な切断構造を形成する、請求項２０に記載の方法。
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
SP2027（SEQ ID NO：4）の単離された肺炎連鎖球菌(S. pneumoniae)ペプチドまたはその機能的に活性な変種を含む肺炎連鎖球菌の保護抗原と、任意で薬学的に許容される担体または賦形剤とを含む薬学的組成物であって、該機能的に活性な変種がSEQ ID NO：4と少なくとも95%の配列同一性を有する、薬学的組成物。
【請求項２】
SEQ ID NO:1、2、3、5、6、7、および8からなる群より選択される少なくとも1つの追加の肺炎連鎖球菌の保護抗原またはその機能的に活性な変種をさらに含む薬学的組成物であって、該機能的に活性な変種が該追加の保護抗原と少なくとも90%の配列同一性を有する、請求項1記載の薬学的組成物。
【請求項３】
免疫刺激性の物質をさらに含む、請求項1または2記載の薬学的組成物。
【請求項４】
免疫刺激性の物質が、ポリカチオン性の重合体、免疫刺激性のデオキシヌクレオチド(ODN)、少なくとも二つのLys-Leu-Lysモチーフを含有するペプチド、神経活性化合物、ミョウバン、またはフロインドの完全もしくは不完全アジュバント、またはそれらの組み合わせである、請求項3記載の薬学的組成物。
【請求項５】
ポリカチオン性の重合体がポリカチオン性のペプチドである、請求項4記載の薬学的組成物。
【請求項６】
ワクチンである、請求項1記載の薬学的組成物。
【請求項７】
対象において連鎖球菌に対して免疫応答を刺激するための免疫原性量の請求項6記載のワクチンを含む組成物。
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
器官の熱治療のためのシステムであって、該システムは：
３７℃よりも高い温度に達するように、器官の局所領域に熱を加える手段；
可逆ゲル化ポリマーを含む塞栓溶液により器官の前記局所領域を局所的に潅流する手段であって、前記可逆ゲル化ポリマーについてのゲル化温度Ｔｇが３７℃より低い手段、
を含み、
それによって、前記局所領域に熱を与える間に熱処理の部位において可逆性局所止血が得られ、前記熱処理の適用の終了後に前記止血が自然に終了することを特徴とするシステム。
【請求項２】
手術が行われる部位を一時的に塞栓することにより手術の結果を改善する薬剤の調製における組成物の使用であって、該組成物が、前記部位で器官に注入される可逆ゲル化ポリマーを含み、前記組成物が局所組織加熱により前記部位において一時的に固定されてもよく；前記可逆ゲル化ポリマーが約２８から３６℃の間のゲル化温度Ｔｇを有することを特徴とする使用。
【請求項３】
前記局所組織温度が３７℃であり、前記塞栓溶液のゲル温度Ｔｇが約２８℃から約３６℃の間であることを特徴とする請求項１記載のシステム。
【請求項４】
前記領域または部位が内部に位置する組織の大領域を前記塞栓溶液または組成物で潅流することにより前記領域または部位が一時的に塞栓されるが、加熱は前記領域または部位の近くのみであり、それにより前記領域または部位の近くでのみゲルを形成することを特徴とする請求項１または２記載のシステムまたは使用。
【請求項５】
前記局所組織温度が３７℃以下であることを特徴とする請求項１記載のシステム。
【請求項６】
前記可逆感熱性ポリマーが、ブロックコポリマー、ランダムコポリマー、グラフトコポリマー、あるいは分枝ポリマーまたはコポリマーであることを特徴とする請求項１または２記載のシステムまたは使用。
【請求項７】
前記可逆ゲル化ポリマーがポリオキシアルキレンブロックコポリマーであることを特徴とする請求項１または２記載のシステムまたは使用。
【請求項８】
前記可逆ゲル化ポリマーが、ポロキサマーまたはポロキサミンであり、必要に応じてポロキサマー４０７、１８８、１１８、３３８、Ｆ１２７およびＦ１０８、またはポロキサミン１１０７および１３０７の１つ以上であることを特徴とする請求項１または２記載のシステムまたは使用。
【請求項９】
前記可逆ゲル化ポリマーが、分画ポロキサマーまたはポロキサミンであることを特徴とする請求項１または２記載のシステムまたは使用。
【請求項１０】
前記潅流または注入が、前記加熱の開始後に始まることを特徴とする請求項１または２記載のシステムまたは使用。
【請求項１１】
前記器官の加熱が、電磁放射、音響エネルギー、加熱した液体、加熱パッド、加熱要素、および手術道具または器具により生じる熱の１つ以上により提供されることを特徴とする請求項１または２記載のシステムまたは使用。
【請求項１２】
前記塞栓溶液または組成物が、さらにコントラスト促進剤を含むことを特徴とする請求項１または２記載のシステムまたは使用。
【請求項１３】
前記コントラスト促進剤が、放射線不透過剤、常磁性体、重原子、遷移金属、ランタニド、アクチニド、色素、および放射性核種含有物質からなる群より選択されることを特徴とする請求項１２記載のシステムまたは使用。
【請求項１４】
前記溶液または組成物が、さらに生物活性剤を含み、必要に応じて該活性剤が、抗炎症剤、抗生物質、抗菌剤、鎮痛剤、抗増殖性物質、および化学療法剤からなる群より選択されることを特徴とする請求項１または２記載のシステムまたは使用。
【請求項１５】
前記処置が終わった後、前記器官を通過する経路および前記器官の外側に沿って通る経路から選択される１つ以上の経路により、３７℃未満の温度において等張液の循環により前記器官の再潅流が促進されることを特徴とする請求項１または２記載のシステムまたは使用。
【請求項１６】
前記再潅流液の温度が３０℃未満であることを特徴とする請求項１５記載のシステムまたは使用。
【請求項１７】
前記可逆ゲル化ポリマー溶液が、前記部位で体温より低い温度でゲル化し、局所体温より高い温度で前記部位を局所的に加熱することによりゲル化が強化されることを特徴とする請求項３記載の使用。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
画像誘導放射線治療システム用の方法であって、
３次元（３Ｄ）又は双眼視撮像データと１つ以上の基準画像と見当合わせすることに基づいて、関心領域（ＶＯＩ）を３次元（３Ｄ）治療室座標系内で基準位置に整合させるステップであって、前記基準画像が３次元（３Ｄ）治療前診断撮像データ又は該３次元（３Ｄ）治療前診断撮像データから導出されたデジタル再生放射線像である、前記整合させるステップと、
単一の撮像線源によって発生された単眼視撮像データを用いて３Ｄ治療室座標系内でのＶＯＩの整合を監視するステップと、
単眼視撮像データを用いて３次元（３Ｄ）治療室座標系内での関心領域（ＶＯＩ）の不整合を検出するステップと、
単眼視撮像データを用いて検出された不整合が、単眼視撮像データを用いて修正することができるか否かを決定するステップと、
を含む、方法。
【請求項２】
前記単眼視撮像データ用いて検出された不整合が変位閾値を越える場合に、双眼視撮像データを取得し、
該双眼視撮像データを用いて３次元（３Ｄ）治療室座標系内での関心領域（ＶＯＩ）を再整合するステップをさらに含む、請求項１に記載の方法。
【請求項３】
前記不整合が変位閾値を越えない場合、前記単眼視撮像データを用いて前記３Ｄ治療室座標系内で前記ＶＯＩを再整合できるか判別するステップをさらに含む、請求項１に記載の方法。
【請求項４】
前記単眼視撮像データを用いて前記３Ｄ治療室座標系内で前記ＶＯＩを再整合させるステップをさらに含む、請求項３に記載の方法。
【請求項５】
前記双眼視撮像データが２次元（２Ｄ）投影画像から成り、
前記ＶＯＩを前記基準位置に整合させるステップは、
２以上の投影において、前記ＶＯＩの第１の２次元（２Ｄ）投影画像を取得するステップと、
前記２以上の投影における前記ＶＯＩの前記第１の２Ｄ投影画像を前記２以上の投影における前記ＶＯＩの２Ｄ基準画像に見当合わせするステップで、前記ＶＯＩの前記２Ｄ基準画像を前記ＶＯＩの３Ｄスキャンデータの３Ｄ変換から導出するステップとを含む、請求項４に記載の方法。
【請求項６】
前記見当合わせステップは、
前記２以上の投影のそれぞれにおける前記第１の２Ｄ投影画像を前記２以上の投影における前記２Ｄ基準画像と比較するステップと、
前記２以上の投影のそれぞれにおける前記第１の２Ｄ投影画像と前記２以上の投影における選択された２Ｄ基準画像との間の第１の類似度を割り出すステップと、
前記ＶＯＩの座標系と前記第１の類似度を最大化する前記ＶＯＩの前記３Ｄスキャンデータの座標系との間の第１の３Ｄ変換を見出すステップで、前記第１の３Ｄ変換が前記ＶＯＩの前記座標系内の３次元画素を前記ＶＯＩの前記３Ｄスキャンデータの前記座標系内の対応する３次元画素へ写像するステップとを含む、請求項５に記載の方法。
【請求項７】
前記基準位置を用いて前記ＶＯＩを整合させるステップは、前記第１の３Ｄ変換の逆変換を通じて前記ＶＯＩを動かすステップと、放射線治療線源を位置決めして前記第１の３Ｄ変換を補償するステップのうちの少なくとも一方を含む、請求項６に記載の方法。
【請求項８】
前記３Ｄ治療座標系内での前記ＶＯＩの前記整合の監視ステップは、
前記２以上の投影の１つにおいて前記ＶＯＩの第２の２Ｄ投影画像を取得するステップと、
前記第２の２Ｄ投影画像と前記２以上の投影の前記１つにおける前記ＶＯＩの選択された第２の２Ｄ投影画像との間の第２の類似度を決定するステップとを含む、請求項６に記載の方法。
【請求項９】
前記３Ｄ治療座標系内での前記ＶＯＩの前記整合の監視ステップは、
前記２以上の投影の１つにおいて前記ＶＯＩの第２の２Ｄ投影画像を取得するステップと、
前記第２の２Ｄ投影画像と前記２以上の投影の前記１つにおける前記ＶＯＩの第１の２Ｄ投影画像との間の第２の類似度を決定するステップとを含む、請求項６に記載の方法。
【請求項１０】
画像案内放射線加療システムであって、
関心領域（ＶＯＩ）を位置決めする位置決めシステムと、
前記ＶＯＩの３次元（３Ｄ）又は双眼視画像を取得するよう構成した撮像システムと、
前記撮像システムと前記位置決めシステムとを制御する処理装置で、
３次元（３Ｄ）又は双眼視撮像データと１つ以上の基準画像と見当合わせすることに基づいて、双眼視撮像データを用いて前記ＶＯＩを３次元（３Ｄ）治療座標系内で基準位置に整合させ、前記基準画像は３次元（３Ｄ）治療前診断撮像データ又は該３次元（３Ｄ）治療前診断撮像データから導出されたデジタル再生放射線像から成り、
単一の撮像線源によって発生された単眼視撮像データを用いて放射線治療中に前記３Ｄ治療座標系内での前記ＶＯＩの整合を監視し、
単眼視撮像データを用いて３次元（３Ｄ）治療室座標系内での関心領域（ＶＯＩ）の不整合を検出し、
単眼視撮像データを用いて検出された不整合が、単眼視撮像データを用いて修正することができるか否かを決定し、
単眼視撮像データを用いて検出された不整合が、単眼視撮像データを用いて修正することができる場合に、前記放射線治療を自動的に修正する構成とした処理装置とを備える、加療システム。
【請求項１１】
前記処理装置はさらに、前記不整合が変位閾値を越える場合に、双眼視撮像データを取得し、該双眼視撮像データを用いて３次元（３Ｄ）治療室座標系内での関心領域（ＶＯＩ）を再整合するよう構成した、請求項１０に記載の加療システム。
【請求項１２】
前記位置決めシステムは、５以上の自由度を有するロボット式位置決めシステムを含む、請求項１０に記載の加療システム。
【請求項１３】
前記処理装置により制御される放射線治療線源をさらに備え、前記処理装置を、前記単眼視撮像データを用い、前記放射線治療線源を位置決めして前記ＶＯＩの前記不整合を補償する構成とした、請求項１０に記載の加療システム。
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
酵素を安定化する方法であって、該酵素を安定な補酵素の存在下で保管することを特徴とする方法。
【請求項２】
前記酵素が脱水素酵素から選択されることを特徴とする請求項１記載の方法。
【請求項３】
前記酵素が、グルコース脱水素酵素（Ｅ．Ｃ．１．１．１．４７）、乳酸脱水素酵素（Ｅ．Ｃ．１．１．１．２７、１．１．１．２８）、リンゴ酸脱水素酵素（Ｅ．Ｃ．１．１．１．３７）、グリセロール脱水素酵素（Ｅ．Ｃ．１．１．１．６）、アルコール脱水素酵素（Ｅ．Ｃ．１．１．１．１）、α−ヒドロキシ酪酸脱水素酵素、ソルビトール脱水素酵素またはたとえばＬ−アミノ酸脱水素酵素（Ｅ．Ｃ．１．４．１．５）などのアミノ酸脱水素酵素から選択される脱水素酵素であることを特徴とする請求項２記載の方法。
【請求項４】
グルコース脱水素酵素が酵素として使用されることを特徴とする請求項１〜３のいずれかに記載の方法。
【請求項５】
安定な補酵素が、安定なニコチンアミドアデニンジヌクレオチド（ＮＡＤ／ＮＡＤＨ）化合物およびニコチンアミドアデニンジヌクレオチドリン酸（ＮＡＤＰ／ＮＡＤＰＨ）化合物および式（Ｉ）の化合物
【化１】
2011514153.tif 000001
から選択されることを特徴とする請求項１〜４のいずれかに記載の方法。
【請求項６】
安定な補酵素が一般式（II）を有する化合物
【化２】
2011514153.tif 000002
（式中、
Ａ＝アデニンまたはその類似体、
Ｔ＝それぞれ独立してＯ、Ｓ、
Ｕ＝それぞれ独立してＯＨ、ＳＨ、ＢＨ3-、ＢＣＮＨ2-、
Ｖ＝それぞれ独立してＯＨまたはリン酸基、または２つの基が環状リン酸エステル基を形成する、
Ｗ＝ＣＯＯＲ、ＣＯＮ（Ｒ）2、ＣＯＲ、ＣＳＮ（Ｒ）2、Ｒ＝それぞれ独立してＨまたはＣ1〜Ｃ2−アルキル、
Ｘ1、Ｘ2＝それぞれ独立してＯ、ＣＨ2、ＣＨＣＨ3、Ｃ（ＣＨ3）2、ＮＨ、ＮＣＨ3、
Ｙ＝ＮＨ、Ｓ、Ｏ、ＣＨ2、
Ｚ＝直鎖状または環状有機基、ただしＺおよびピリジン残基は、グリコシル結合により連結されない）
またはその塩、もしくは必要に応じて還元型
から選択されることを特徴とする請求項５記載の方法。
【請求項７】
Ｚが、
（ｉ）４〜６個のＣ原子を有し、１つまたは２つの原子が任意には１つまたはそれ以上のＯ、ＳおよびＮから選択されるヘテロ原子により置換されている直鎖状基、および
（ii）５または６Ｃ原子を有する環状基を含み、任意にはＯ、ＳおよびＮから選択されるヘテロ原子を、そして任意には１つまたはそれ以上の置換基およびＣＲ42基（ＣＲ42は環状基およびＸ2に結合し、Ｒ4＝それぞれ独立してＨ、Ｆ、Ｃｌ、ＣＨ3）を含む基
から選択される請求項６記載の方法。
【請求項８】
Ｚが、一般式（III）の化合物
【化３】
2011514153.tif 000003
式中、単結合または二重結合がＲ5'およびＲ5''との間に存在でき、
Ｒ4＝それぞれ独立してＨ、Ｆ、Ｃｌ、ＣＨ3、
Ｒ5＝ＣＲ42、
式中、Ｒ5'およびＲ5''との間が単結合である場合、Ｒ5'＝Ｏ、Ｓ、ＮＨ、ＮＣ1〜Ｃ2−アルキル基、ＣＲ42、ＣＨＯＨ、ＣＨＯＣＨ3、および
Ｒ5''＝ＣＲ42、ＣＨＯＨ、ＣＨＯＣＨ3、および
式中、Ｒ5'およびＲ5''との間が二重結合である場合、Ｒ5'＝Ｒ5''＝ＣＲ4、および
Ｒ6、Ｒ6'＝それぞれ独立してＣＨまたはＣＣＨ3
である請求項７記載の方法。
【請求項９】
Ｗ＝ＣＯＮＨ2またはＣＯＣＨ3である請求項６〜８のいずれかに記載の方法。
【請求項１０】
Ｒ5がＣＨ2である請求項８または９記載の方法。
【請求項１１】
Ｒ5'がＣＨ2、ＣＨＯＨおよびＮＨから選択される請求項８〜１０のいずれかに記載の方法。
【請求項１２】
Ｒ5'およびＲ5''がそれぞれＣＨＯＨである請求項８〜１１のいずれかに記載の方法。
【請求項１３】
Ｒ5'がＮＨであり、かつＲ5''がＣＨ2である請求項８〜１１のいずれかに記載の方法。
【請求項１４】
安定な補酵素がカルバＮＡＤであることを特徴とする請求項１〜１３のいずれかに記載の方法。
【請求項１５】
安定な補酵素により安定化される酵素が、少なくとも２週間保管されることを特徴とする請求項１〜１４のいずれかに記載の方法。
【請求項１６】
安定な補酵素により安定化される酵素が、少なくとも２０℃の温度で保管されることを特徴とする請求項１〜１５のいずれかに記載の方法。
【請求項１７】
安定な補酵素により安定化される酵素が乾燥剤なしで保管されることを特徴とする請求項１〜１６のいずれかに記載の方法。
【請求項１８】
安定な補酵素により安定化される酵素が、少なくとも５０％の相対湿度で保管されることを特徴とする請求項１〜１７のいずれかに記載の方法。
【請求項１９】
安定な補酵素により安定化される酵素の保管が乾燥物として行われることを特徴とする請求項１〜１８のいずれかに記載の方法。
【請求項２０】
安定な補酵素により安定化される酵素の保管が液相において行われることを特徴とする請求項１〜１８のいずれかに記載の方法。
【請求項２１】
安定な補酵素により安定化される酵素の保管が、テストエレメントにおいて行われることを特徴とする請求項１〜２０のいずれかに記載の方法。
【請求項２２】
安定な補酵素により安定化された酵素であって、少なくとも２週間、少なくとも２０℃、必要に応じて高い湿度でかつ乾燥剤なしでの保管において、当初のレベルと比較して５０％未満の酵素活性の低下を示し、該酵素が突然変異されたグルコース脱水素酵素であって、該突然変異されたグルコース脱水素酵素が対応する野生型グルコース脱水素酵素と比較して増加された熱安定性または加水分解安定性を有するグルコース脱水素酵素である安定化された酵素。
【請求項２３】
請求項２２記載の安定化された酵素を含む、分析物を測定するための検出試薬。
【請求項２４】
請求項２２記載の安定化された酵素または請求項２３記載の検出試薬を含むことを特徴とするテストエレメント。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
ペプチドリンカーにより連結された２つのドメインを含み：
(a) 親のI-CreI単量体に由来するそれぞれのドメインが、I-CreIの第１アルファヘリックスの始点(α1)からＣ末端ループの終点まで少なくとも広がりかつα1β1β2α2β3β4α3コアドメインと、α4及びα5ヘリックスと、I-CreIのＣ末端ループとを連続的に含む前記親のI-CreI単量体の部分を含み、
(b) それぞれの親のホモ二量体I-CreIメガヌクレアーゼ標的配列の一方の異なる半分を含むキメラDNA標的と結合しそれを切断できるI-CreI二量体として前記２つのドメインが折り畳まれることを可能にするペプチドリンカーにより、前記２つのドメインが連結されている、
単鎖I-CreIメガヌクレアーゼ。
【請求項２】
Ｎ末端若しくはＣ末端ドメイン又はその両方が、少なくともI-CreIのアルファ６ヘリックスをさらに含む請求項１に記載の単鎖I-CreIメガヌクレアーゼ。
【請求項３】
Ｎ末端ドメインがI-CreI の１位又は６位から始まり、Ｃ末端ドメインがI-CreIの２位又は６位から始まる請求項１又は２に記載の単鎖I-CreIメガヌクレアーゼ。
【請求項４】
Ｎ末端若しくはＣ末端ドメイン又はその両方が、I-CreIの145位、152位、156位、160位又は163位にて終結する請求項１〜３のいずれか１項に記載の単鎖I-CreIメガヌクレアーゼ。
【請求項５】
リンカーが、15〜35アミノ酸の配列からなり、好ましくは配列番号２〜12及び14〜19の配列からなる群より選択される請求項１〜４のいずれか１項に記載の単鎖I-CreIメガヌクレアーゼ。
【請求項６】
少なくとも一方のドメイン又は両方のドメインが、
‐両方のドメインにおける、I-CreIの26位〜40位及び／又は44位〜77位での異なる変異であって、単鎖I-CreIメガヌクレアーゼが非パリンドロームDNA配列を切断でき、前記DNA配列の少なくとも+3位〜+5位、+8位〜+10位、-10位〜-8位及び-5位〜-3位のヌクレオチドが、興味対象の遺伝子からのDNA標的の+3位〜+5位、+8位〜+10位、-10位〜-8位及び-5位〜-3位のヌクレオチドに相当する、及び
‐少なくとも一方のドメインにおける、I-CreIの137位〜143位での変異であって、該変異がI-CreI部位の±１〜２、６〜７及び／又は11〜12位のヌクレオチドに対する単鎖I-CreIメガヌクレアーゼの特異性を改変する
からなる群より選択される１つ以上の変異を含む請求項１〜５のいずれか１項に記載の単鎖I-CreIメガヌクレアーゼ。
【請求項７】
変異が、A、D、E、G、H、K、N、P、Q、R、S、T、Y、C、V、L及びWからなる群より選択されるアミノ酸での元のアミノ酸の置き換えである請求項６に記載の単鎖I-CreIメガヌクレアーゼ。
【請求項８】
２つのドメインからの機能的ホモ二量体の形成を損なう少なくとも１つの変異を含み、好ましくはそれぞれのドメインが、それぞれ第１及び第２のドメインについて、K7E又はK7DとE8K又はE8R；F54G又はF54AとL97F又はL97W；K96D又はK96EとE61R又はE61K；R51D又はR51EとD137R又はD137Kからなる群より選択される少なくとも１つの変異を含む請求項１〜７のいずれか１項に記載の単鎖I-CreIメガヌクレアーゼ。
【請求項９】
一方のドメインが、G19S変異を含む請求項１〜８のいずれか１項に記載の単鎖I-CreIメガヌクレアーゼ。
【請求項１０】
配列番号95又は97の配列を含む請求項１〜９のいずれか１項に記載の単鎖I-CreIメガヌクレアーゼ。
【請求項１１】
請求項１〜10のいずれか１項に記載の単鎖I-CreIメガヌクレアーゼをコードするポリヌクレオチドフラグメント。
【請求項１２】
単鎖I-CreIメガヌクレアーゼの生成を可能にする調節配列に機能可能に連結された請求項11に記載のポリヌクレオチドフラグメントを含み、好ましくは単鎖I-CreIメガヌクレアーゼのゲノムDNA標的を取り囲む領域と相同性を有する配列を含むターゲティングDNA構築物をさらに含む発現ベクター。
【請求項１３】
請求項１〜10のいずれか１項に記載の少なくとも１つの単鎖I-CreIメガヌクレアーゼ、請求項11に記載の１つのポリヌクレオチドフラグメント、又は請求項12に記載の１つのベクターを含み、好ましくは興味対象のゲノム部位と相同性を有する配列で挟まれた前記ゲノム部位を修復する配列を含むターゲティングDNA構築物をさらに含む医薬組成物。
【請求項１４】
請求項１〜10のいずれか１項に記載の少なくとも１つの単鎖I-CreIメガヌクレアーゼ、請求項11に記載の１つのポリヌクレオチドフラグメント、請求項12に記載の１つのベクターの、非治療目的での、分子生物学、インビボ又はインビトロでの遺伝子工学、及びインビボ又はインビトロでのゲノム工学のための使用。
【請求項１５】
配列番号95又は配列番号97の配列を含む少なくとも１つの単鎖I-CreIメガヌクレアーゼ、前記メガヌクレアーゼをコードする１つのポリヌクレオチドフラグメント、又は前記ポリヌクレオチドを含む１つのベクターの、ヒトRAG1遺伝子における変異に関連するSCID症候群を予防、改善又は治癒するための医薬品の製造のための使用。
【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
IFNAR1に特異的な改変IgGクラスモノクローナル抗体であって、Fc領域に、Kabatに説明されるEUインデックスにより番号付けしたL234F、L235E、およびP331Sからなる群より選択される少なくとも1つのアミノ酸置換を含み、未改変抗体と比較して少なくとも1つのFcリガンドに対して低下した親和性を示す、上記抗体。
【請求項２】
P331Sのアミノ酸置換を含む、請求項１に記載の抗体。
【請求項３】
アミノ酸置換:L234FおよびL235Eを含む、請求項１に記載の抗体。
【請求項４】
アミノ酸置換:L234F、L235EおよびP331Sを含む、請求項１に記載の抗体。
【請求項５】
Fc領域のL235Eのアミノ酸置換を含む、請求項１に記載の抗体。
【請求項６】
Fc領域にアミノ酸置換S228Pをさらに含む、請求項１に記載の抗体。
【請求項７】
表2から選択される少なくとも1つの相補性決定領域(CDR)を含む、請求項１〜６のいずれか１項に記載の抗体。
【請求項８】
以下のCDR:
a. 配列番号３１を含むヒト軽鎖可変領域CDR1;
b. 配列番号３２を含むヒト軽鎖可変領域CDR2;
c. 配列番号３３を含むヒト軽鎖可変領域CDR3;
d. 配列番号３４を含むヒト軽鎖可変領域CDR1;
e. 配列番号３５を含むヒト軽鎖可変領域CDR2;および
f. 配列番号３６を含むヒト軽鎖可変領域CDR3
を含む、請求項１〜７のいずれか１項に記載の抗体。
【請求項９】
以下のCDR:
a. 配列番号２１を含むヒト軽鎖可変領域CDR1;
b. 配列番号２２を含むヒト軽鎖可変領域CDR2;
c. 配列番号２３を含むヒト軽鎖可変領域CDR3;
d. 配列番号２４を含むヒト軽鎖可変領域CDR1;
e. 配列番号２５を含むヒト軽鎖可変領域CDR2;および
f. 配列番号２６を含むヒト軽鎖可変領域CDR3
を含む、請求項１〜７のいずれか１項に記載の抗体。
【請求項１０】
以下の可変領域:
a. 配列番号３８のアミノ酸配列を含むヒト重鎖可変領域;および
b. 配列番号４０のアミノ酸配列を含むヒト軽鎖可変領域
を含む、請求項１〜７のいずれか１項に記載の抗体。
【請求項１１】
以下の可変領域:
a. 配列番号２８のアミノ酸配列を含むヒト重鎖可変領域;および
b. 配列番号３０のアミノ酸配列を含むヒト軽鎖可変領域
を含む、請求項１〜７のいずれか１項に記載の抗体。
【請求項１２】
配列番号４１の軽鎖定常領域配列を含む、請求項１〜７のいずれか１項に記載の抗体。
【請求項１３】
配列番号４２の重鎖定常領域を含む、請求項１〜７のいずれか１項に記載の抗体。
【請求項１４】
配列番号４１のアミノ酸配列を有する軽鎖定常領域および配列番号４２のアミノ酸配列を有する重鎖定常領域を含む、請求項１〜７のいずれか１項に記載の抗体。
【請求項１５】
EUインデックスナンバリングシステムにより定義される214、221、356および358からなる群より選択される少なくとも1以上の位置の対立遺伝子変異を含む重鎖アミノ酸配列を含む、請求項１２〜１４のいずれか１項に記載の抗体。
【請求項１６】
請求項１〜１５のいずれか１項に記載の抗体をコードするポリヌクレオチド配列を含む、単離核酸。
【請求項１７】
ベクターを含むかまたは該ベクターを用いて形質転換されている宿主細胞であって、該ベクターはプロモーターに機能的に連結された請求項１６に記載のポリヌクレオチドを含む、前記宿主細胞。
【請求項１８】
請求項１〜１５のいずれか１項に記載の抗体、および製薬上許容される賦形剤を含む、医薬組成物。
【請求項１９】
免疫障害を伴う状態または疾患の治療のための医薬の製造における、請求項１〜１５のいずれか１項に記載の抗体または請求項１８に記載の組成物の使用。
【請求項２０】
前記疾患または障害が全身性エリテマトーデスである、請求項１９に記載の使用。
【請求項２１】
請求項１〜１５のいずれか１項に記載の抗体の製造方法。
【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
少なくとも第一の有機化合物、及び場合により第二の有機化合物を含有する多孔性の金属有機骨格材料のメタンの貯蔵又は分離のための使用方法であって、その際、少なくとも前記の第一の有機化合物が、少なくとも部分的に二座で少なくとも１つの金属イオンに配位結合し、前記の少なくとも１つの金属イオンがＭｇ（ＩＩ）であり、かつ、前記の第一の有機化合物はギ酸由来であり、かつ前記の第二の有機化合物は酢酸由来である多孔性の金属有機骨格材料のメタンの貯蔵又は分離のための使用方法。
【請求項２】
前記骨格材料が、第一の有機化合物及び第二の有機化合物を含有することを特徴とする、請求項１に記載の使用方法。
【請求項３】
メタンを、メタンに加えて一酸化炭素及び水素からなる群から選択されるガスの少なくとも１つを有するガス混合物から分離することを特徴とする、請求項１又は２に記載の使用方法。
【請求項４】
前記メタン又はメタンを含有するガス混合物と、請求項１又は２に記載の有機金属骨格材料とを接触する工程
を含む、メタンの貯蔵又は分離の方法。
【請求項５】
少なくとも第一の有機化合物、及び第二の有機化合物を含有する多孔性の金属有機骨格材料であって、その際、少なくとも前記の第一の有機化合物が、少なくとも部分的に二座で少なくとも１つの金属イオンに配位結合し、前記の少なくとも１つの金属イオンがＭｇ（ＩＩ）であり、前記の第一の有機化合物はギ酸由来であり、かつ前記の第二の有機化合物は酢酸由来である多孔性の金属有機骨格材料。
【請求項６】
請求項５に記載の骨格材料のＸ線回折（ＸＤＲ）が、８°＜２Θ＜１２°の範囲で２つの反射を示し、２°＜Θ＜７０°の範囲で最大の反射を示すことを特徴とする骨格材料。
【請求項７】
前記金属有機骨格材料が、Ｍｇ（ＩＩ）に加えてさらに金属イオンを有さないことを特徴とする、請求項５又は６に記載の骨格材料。
【請求項８】
前記金属有機骨格材料が、さらに少なくとも１つの金属イオンに配位結合する少なくとも二座の有機化合物を含有しないことを特徴とする、請求項５から７までのいずれか１項に記載の骨格材料。
【請求項９】
第一の有機化合物と第二の有機化合物とのモル比が、１０：１〜１：１０の範囲であることを特徴とする、請求項５から８までのいずれか１項に記載の骨格材料。
【請求項１０】
（ａ）１１０℃〜１５０℃の範囲の温度で少なくとも１０時間、硝酸マグネシウム六水和物、ギ酸及び酢酸、並びに溶剤を含有する反応溶液を反応する工程、並びに
（ｂ）沈澱した固体を分離する工程
を含む、請求項５から９までのいずれか１項に記載の多孔性の金属有機骨格材料の製造方法。
【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
円錐角膜を治療する薬剤の製造のために、約１０分以下の期間の紫外線照射と組み合わせた光開始剤の使用。
【請求項２】
角膜手術後の拡張症を治療する薬剤の製造のために、約１０分以下の期間の紫外線照射と組み合わせた光開始剤の使用。
【請求項３】
角膜手術前に角膜を強化する薬剤の製造のために、約１０分以下の期間の紫外線照射と組み合わせた光開始剤の使用。
【請求項４】
前記光開始剤は、過硫酸ナトリウム、過硫酸カリウム、過硫酸アンモニウム、チオ硫酸ナトリウム、塩化鉄（II）四水和物、又は硫酸水素ナトリウムから選択される請求項１〜３のいずれか１項に記載の使用。
【請求項５】
前記光開始剤は、過硫酸ナトリウムである請求項４に記載の使用。
【請求項６】
前記紫外線照射は、約２５４ｎｍ〜約４００ｎｍの範囲内の波長を有する請求項１〜３のいずれか１項に記載の使用。
【請求項７】
前記紫外線照射は、約３１０ｎｍ〜約４００ｎｍの範囲内の波長を有する請求項６に記載の使用。
【請求項８】
前記紫外線の光強度は、約１００ｍＷ〜約１０００ｍＷの範囲内である請求項１〜３のいずれか１項に記載の使用。
【請求項９】
前記紫外線の光強度は、約１０００ｍＷである請求項８に記載の使用。
【請求項１０】
紫外線を暴露する前記期間は、１回〜４回の紫外線暴露バーストを含んで構成され、
それぞれの紫外線暴露バーストは約１０秒間であり、
それぞれの前記バースト間の非紫外線暴露期間は約１０秒間である請求項１〜３のいずれか１項に記載の使用。
【請求項１１】
紫外線を暴露する前記期間は、約１０秒間の１回の暴露からなる請求項１０に記載の使用。
【請求項１２】
前記角膜手術は、レーザー角膜内切削形成術（レーシック）、レーザー角膜上皮屈折矯正術（イー・レーシック）、高周波エネルギーを用いる伝導性角膜形成術、又はマイクロ波を用いる角膜熱形成術から選択される請求項２に記載の使用。
【請求項１３】
前記角膜手術は、レーシックである請求項３に記載の使用。
【請求項１４】
前記紫外線の照射による治療は、前記角膜手術より約１週間〜約２週間前に行われる請求項３に記載の使用。
【手続補正書】
【提出日】平成24年3月9日(2012.3.9)
【手続補正１】
【補正対象書類名】特許請求の範囲
【補正対象項目名】全文
【補正方法】変更
【補正の内容】
【特許請求の範囲】
【請求項１】
式（Ｉ）の化合物
【化１】
2011514361.tif 000001
（式中、Ｄ１もしくはＤ２、またはＤ１およびＤ２の両方が重水素（２Ｈ）であり、
Ｒ１はＨもしくはブロッキング基であり、Ｒ２はアミノ酸、ペプチド、タンパク質、もしくはタンパク質の一部、または脂肪族の、芳香族の、置換脂肪族の、もしくは置換芳香族のアシル基である化合物）、または、
式（ＩＩ）もしくは（ＩＩＩ）の化合物
【化２】
2011514361.tif 000002
（式中、Ｄは重水素である化合物）
を含む組成物であって、
式（Ｉ）、（ＩＩ）、または（ＩＩＩ）における炭素が任意選択的に炭素−１３であり、
前記炭素−１３、重水素または両方が、前記化合物中の同じ位置における天然存在炭素−１３、重水素、または両方と比較して、個別または集合的に少なくとも２０％を超えて濃縮されている組成物。
【請求項２】
ｉｎ  ｖｉｖｏにおけるリジン含有部分の分解に関連する病態の治療のために使用することを特徴とする、請求項１に記載の組成物。
【請求項３】
リジンに対するＬＯＸ酵素の影響を阻害することを特徴とする、請求項１に記載の組成物。
【請求項４】
請求項１に記載の組成物および医薬として許容される担体を含むことを特徴とする医薬組成物。
【請求項５】
ｉｎ  ｖｉｖｏにおけるリジン含有部分の分解に関連する病態の治療のために使用することを特徴とする、請求項４に記載の医薬組成物。
【請求項６】
天然存在重同位体レベルよりも２０％を超えて非天然存在重同位体を含有し、ｉｎ  ｖｉｖｏに取り込まれる請求項１に記載の組成物を含有することを特徴とする、食物、補助食品および医薬組成物から選択される組成物。
【請求項７】
腫瘍の増殖を減少するために使用することを特徴とする、請求項１に記載の組成物。
【請求項８】
前記腫瘍が原発腫瘍または転移腫瘍である、請求項７に記載の組成物。
【請求項９】
前記腫瘍が、肺がん（肺腺がん、扁平上皮細胞がん、大細胞がん、細気管支肺胞がん、非小細胞がん、小細胞がん、中皮腫を含む）；乳がん（腺管がん、小葉がん、炎症性乳がん、明細胞がん、粘液がんを含む）；結腸直腸がん（結腸がん、直腸がん）；肛門がん；膵臓がん（膵臓腺がん、島細胞がん、神経内分泌腫瘍を含む）；前立腺がん；卵巣がん（卵巣上皮がん、または漿液性腫瘍を含む表層上皮−間質腫瘍、子宮内膜性腫瘍、およびムチン性嚢胞腺がん、性索間質腫瘍）；肝がんおよび胆管がん（肝細胞がん、胆管がん、血管腫を含む）；食道がん（食道腺がん、および扁平上皮がんを含む）；膀胱がん；子宮がん（子宮内膜腺がん、子宮体部漿液性腺がん、子宮明細胞がん、子宮肉腫、および平滑筋肉腫、ミュラー管混合腫瘍を含む）、神経膠腫、グリア芽腫、髄芽腫（ｍｅｄｕｌｌａｂｌａｓｔｏｍａ）、および脳のその他の腫瘍；腎臓がん（腎細胞がん、明細胞がん、ウィルムス腫瘍を含む）；頭部および頸部のがん（扁平上皮がんを含む）；胃がん（胃腺がん、消化管間質腫瘍）；多発性骨髄腫；睾丸がん；胚細胞腫瘍；神経内分泌腫瘍；子宮頸がん；消化管、乳房、およびその他臓器のカルチノイド；印環細胞がん；肉腫、線維肉腫、血管腫、血管腫症、血管外皮腫、偽血管腫様間質過形成、筋線維芽細胞腫、線維腫症、炎症性筋線維芽細胞腫瘍、脂肪腫、血管脂肪腫（ａｎｇｉｏｉｉｐｏｍａ）、顆粒細胞腫、神経線維腫、神経鞘腫、血管肉腫、脂肪肉腫、横紋筋肉腫、骨肉腫、平滑筋腫、平滑筋肉腫、および非ホジキンリンパ腫を含む間葉腫瘍の中から選択される、請求項７に記載の組成物。
【請求項１０】
血管新生を阻害するために使用することを特徴とする、請求項１に記載の組成物。
【請求項１１】
線維症を阻害するために使用することを特徴とする、請求項１に記載の組成物。
【請求項１２】
前記線維症が、肝線維症、肺線維症、腎線維症、心臓線維症、または強皮症である、請求項１１に記載の組成物。
【請求項１３】
前記腎線維症が、糖尿病性ネフロパシー、糸球体硬化症、糖尿病性ネフロパシー、膀胱尿管逆流現象、尿細管間質性腎線維症、または糸球体腎炎である、請求項１２に記載の組成物
【請求項１４】
。
請求項１に記載の組成物と、試料または細胞組織を接触させることを特徴とする、細胞外マトリックスの形成を抑制する方法。
【請求項１５】
抗がん治療または抗線維症治療と併用して用いることを特徴とする、請求項２、３および６から１３のいずれかに記載の組成物。
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2011514325.tif 000001
式中、
Ｒ４は水素であり、Ｃ−３とＣ−４との間の結合は単結合であるか、または点線は、Ｃ−３とＣ−４との間の結合と共に二重結合を表し；あるいは、
Ｒ４はメチレンであり、Ｃ−３およびＣ−４と共にシクロプロパン環を形成し；
Ｒ３は水素、Ｃ１、Ｃ２、Ｃ３、Ｃ４、Ｃ５、Ｃ６アルキルまたはＣ２、Ｃ３、Ｃ４、Ｃ５、Ｃ６アルケニルであり；また
Ｉ）Ｒ１およびＲ２は、それらが結合する炭素原子と共にカルボニル基を形成し；あるいは、
ＩＩ）Ｒ１はヒドロキシルであり、Ｒ２はＣ１、Ｃ２、Ｃ３アルキルおよびＣ２、Ｃ３、Ｃ４アルケニルから選択される、
で表される化合物の、フレーバーまたはフレグランスとしての使用。
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
ＣＤ５９タンパク質、又は、インビボのＣＤ５９タンパク質の発現のソース、を含む、黄班変性を処置するための医薬組成物であって、
前記組成物が、黄班変性を処置するのに有効な量で、眼への送達のために処方されている、医薬組成物。
【請求項２】
ＣＤ５９タンパク質又はＣＤ５９タンパク質の発現のソースが、ＣＤ５９タンパク質をコードする遺伝子を備えている核酸ベクター、ＣＤ５９タンパク質をコードする遺伝子を備えているウィルスベクター、ＣＤ５９タンパク質、からなるグループから選択される少なくとも１つである、
請求項１記載の組成物。
【請求項３】
眼への送達のために処方された組成物が、注射、点眼、軟膏からなるグループから選択される少なくとも１つである、
請求項１記載の組成物。
【請求項４】
注射が、眼内注射、結膜下注射、サブテノン嚢注射からなるグループから選択される少なくとも１つである、
請求項３記載の組成物。
【請求項５】
組成物が、更に、抗癌、抗ウィルス、抗バクテリア、抗マイコバクテリア、抗真菌、抗増殖性、抗アポトーシスからなるグループから選択される少なくとも１つの薬剤を含む、
請求項１記載の組成物。
【請求項６】
ＣＤ５９タンパク質が溶解性タンパク質として発現される、
請求項１記載の組成物。
【請求項７】
ＣＤ５９タンパク質がグリコシルホスファチジルイノシトール（ＧＰＩ）固定領域をコードする欠損を含んでいる、
請求項１記載の組成物。
【請求項８】
ＣＤ５９タンパク質、又は、インビボのＣＤ５９タンパク質の発現のソースを含む医薬組成物と、容器と、使用説明書とを含む、黄班変性を処置するためのキット。
【請求項９】
ＣＤ５９タンパク質がグリコシルホスファチジルイノシトール（ＧＰＩ）固定領域をコードする欠損を含む、
請求項８記載のキット。
【請求項１０】
ＣＤ５９タンパク質が、溶解性の形態、又は、膜結合型の形態である、
請求項８記載のキット。
【請求項１１】
ＣＤ５９タンパク質が親液性である、
請求項８記載のキット。
【請求項１２】
組成物が、注射、点眼、軟膏、ペースト、クリーム、ローション、ゲル、粉末、溶液、スプレー、および、パッチのグループの少なくとも１つから選択される投与経路のために処方される、
請求項１記載の組成物。
【請求項１３】
組成物が、抗癌、抗ウィルス、抗バクテリア、抗マイコバクテリア、抗真菌、抗増殖性、抗アポトーシスのグループから選択される少なくとも１つの薬剤をさらに含む、
請求項１記載の組成物。
【請求項１４】
ＣＤ５９タンパク質が、野生型のＣＤ５９アミノ酸配列と実質的に同一であるアミノ酸配列を含む、
請求項１記載の組成物。
【請求項１５】
ＣＤ５９タンパク質のアミノ酸配列が、野生型のＣＤ５９アミノ酸配列と、少なくとも６０％同一で、少なくとも７０％同一で、少なくとも８０％同一で、または、少なくとも９０％同一である、
請求項１４記載の組成物。
【請求項１６】
ＣＤ５９タンパク質のアミノ酸配列が保存配列改変を含む、
請求項１４記載の組成物。
【請求項１７】
保存配列改変が、置換、付加、又は、欠失の少なくとも１つを含む、
請求項１６記載の組成物。
【請求項１８】
ＣＤ５９タンパク質組成物が薬学的に許容可能な担体を含む、
請求項１記載の組成物。
【請求項１９】
インビボのＣＤ５９タンパク質の発現のソースが、膜依存性のＣＤ５９タンパク質組成物をコードする核酸を含む、
請求項１記載の組成物。
【請求項２０】
核酸が、ＣＤ５９タンパク質組成物を発現するためのシグナルに操作可能にリンクされ、それによって、細胞がＣＤ５９タンパク質を発現し、分泌する、
請求項１９記載の組成物。
【手続補正２】
【補正対象書類名】明細書
【補正対象項目名】００１８
【補正方法】変更
【補正の内容】
【００１８】
発明のある観点では、眼組織又は細胞上のＭＡＣ沈着をアッセイし、沈着を阻害する薬を選ぶ（スクリーニングする）ためのキットであって、抗ＭＡＣ抗体、容器、正常なヒト血清を用いるための使用説明書を備えているキットを、与える。関連する実施例において、キットが、更に抗ＥＭＭＰＲＩＮ抗体、及び、又は正常なヒト血清を備えている。他の関連する実施例において、キットが、更に、正の対照として、ＣＤ５９タンパク質を備えており、ＣＤ５９タンパク質が、溶解性の形態、又は、膜結合型の形態のものであり、後者は、例では、リポソームに組み込まれた調製物である。他の関連するキットの実施例において、抗体、血清、ＣＤ５９タンパク質の少なくとも１つが、親液性のものである。
【手続補正３】
【補正対象書類名】明細書
【補正対象項目名】００３７
【補正方法】変更
【補正の内容】
【００３７】
このようにある実施例において、ＣＤ５９タンパク質は、保存配列改変を含んでいる。ここで用いられている“保存配列改変”は、アミノ酸改変を表すものであり、該アミノ酸改変は、アミノ酸配列を含んでいるＣＤ５９タンパク質の特徴に、かなり影響を及ぼし、又は、変える、ということはしないものであり、即ち、ＣＤ５９のアミノ酸配列は、同じ相対的位置にあるこれらの側鎖が、ヒトＣＤ５９と同様の手法で機能するであろう、ということをあらわしている。上記保存的な改変は、アミノ酸の置換、付加又は欠失を含んでいる。ＣＤ５９のアミノ酸配列の改変は、例えば、部位特異的突然変異誘発又はＰＣＲに基づく突然変異の、任意の周知技術を用いることによって達成される。上記技術は、Ｓａｍｂｒｏｏｋ等による論文“Ｍｏｌｅｃｕｌａｒ Ｃｌｏｎｉｎｇ： Ａ  Ｌａｂｏｒａｔｏｒｙ  Ｍａｎｕａｌ、Ｃｏｌｄ  Ｓｐｒｉｎｇ Ｈａｒｂｏｒ Ｐｒｅｓｓ， Ｐｌａｉｎｖｉｅｗ、ＮＹ、１９８９年と、Ａｕｓｕｂｅｌ等による論文“Ｃｕｒｒｅｎｔ  Ｐｒｏｔｏｃｏｌｓ  ｉｎ  Ｍｏｌｅｃｕｌａｒ  Ｂｉｏｌｏｇｙ”、Ｊｏｈｎ  Ｗｉｌｅｙ  ＆  Ｓｏｎｓ、Ｎｅｗ Ｙｏｒｋ、ＮＹ、１９８９年”に記載されている。
【手続補正書】
【提出日】平成24年2月15日(2012.2.15)
【手続補正１】
【補正対象書類名】特許請求の範囲
【補正対象項目名】全文
【補正方法】変更
【補正の内容】
【特許請求の範囲】
【請求項１】
ＩＬ−２５によるＩＬ−１７ＲＡ−ＩＬ−１７ＲＢヘテロマー受容体複合体の活性化が部分的にまたは完全に阻害されるように、少なくともＩＬ−１７ＲＡおよびＩＬ−１７ＲＢを発現している細胞を、ＩＬ−１７ＲＡ−ＩＬ−１７ＲＢアンタゴニストに曝露する工程を含む、ＩＬ−１７ＲＡ−ＩＬ−１７ＲＢヘテロマー受容体複合体の活性化を阻害する方法。
【請求項２】
ＩＬ−１７ＲＡ−ＩＬ−１７ＲＢアンタゴニストが抗原結合タンパク質である、請求項１に記載の方法。
【請求項３】
抗原結合タンパク質がＩＬ−１７ＲＡ−ＩＬ−１７ＲＢヘテロマー受容体複合体またはそのサブユニットに結合する、請求項２に記載の方法。
【請求項４】
ＩＬ−１７ＲＡ−ＩＬ−１７ＲＢヘテロマー受容体複合体の形成が部分的にまたは完全に阻害される、請求項１〜３のいずれか一項に記載の方法。
【請求項５】
少なくとも１つの炎症促進性仲介因子の放出が部分的にまたは完全に阻害される、請求項１〜４のいずれか一項に記載の方法。
【請求項６】
炎症促進性仲介因子が：ＩＬ−５、ＩＬ−６、ＩＬ−８、ＩＬ−１３、ＣＸＣＬ１、ＣＸＣＬ２、ＧＭ−ＣＳＦ、Ｇ−ＣＳＦ、Ｍ−ＣＳＦ、ＩＬ−１β、ＴＮＦα、ＲＡＮＫ−Ｌ、ＬＩＦ、ＰＧＥ２、ＩＬ−１２、ＭＭＰ３、ＭＭＰ９、ＧＲＯα、およびＮＯからなる群より選択される、請求項５に記載の方法。
【請求項７】
ＩＬ−２５によるＩＬ−１７ＲＡ−ＩＬ−１７ＲＢヘテロマー受容体複合体の活性化が部分的にまたは完全に阻害されるように、少なくともＩＬ−１７ＲＡおよびＩＬ−１７ＲＢを発現している細胞を、ＩＬ−１７ＲＡ−ＩＬ−１７ＲＢアンタゴニストに曝露する工程を含む、ｉｎ  ｖｉｖｏでＩＬ−１７ＲＡ−ＩＬ−１７ＲＢヘテロマー受容体複合体の活性化を阻害する方法。
【請求項８】
ＩＬ−１７ＲＡ−ＩＬ−１７ＲＢアンタゴニストが抗原結合タンパク質である、請求項７に記載の方法。
【請求項９】
抗原結合タンパク質がＩＬ−１７ＲＡ−ＩＬ−１７ＲＢヘテロマー受容体複合体またはそのサブユニットに結合する、請求項８に記載の方法。
【請求項１０】
ＩＬ−１７ＲＡ−ＩＬ−１７ＲＢヘテロマー受容体複合体の形成が部分的にまたは完全に阻害される、請求項７〜９のいずれか一項に記載の方法。
【請求項１１】
少なくとも１つの炎症促進性仲介因子の放出が部分的にまたは完全に阻害される、請求項７〜１０のいずれか一項に記載の方法。
【請求項１２】
炎症促進性仲介因子が：ＩＬ−５、ＩＬ−６、ＩＬ−８、ＩＬ−１３、ＣＸＣＬ１、ＣＸＣＬ２、ＧＭ−ＣＳＦ、Ｇ−ＣＳＦ、Ｍ−ＣＳＦ、ＩＬ−１β、ＴＮＦα、ＲＡＮＫ−Ｌ、ＬＩＦ、ＰＧＥ２、ＩＬ−１２、ＭＭＰ３、ＭＭＰ９、ＧＲＯα、およびＮＯからなる群より選択される、請求項１１に記載の方法。
【請求項１３】
ＩＬ−１７ＲＡ−ＩＬ−１７ＲＢアンタゴニストを、自己免疫または炎症性疾患に罹患した個体に投与する、請求項７〜１２のいずれか一項に記載の方法。
【請求項１４】
自己免疫または炎症性疾患が、急性呼吸器障害症候群（ＡＲＤＳ）、呼吸窮迫症候群、気管支炎、ならびに呼吸器合胞体ウイルス（ＲＳＶ）、パラインフルエンザウイルス（ＰＩＶ）、ライノウイルス（ＲＶ）およびアデノウイルスなどのウイルス誘導性状態と関連する気道過敏症からなる群より選択される、請求項１３に記載の方法。
【請求項１５】
ＩＬ−１７ＲＡ−ＩＬ−１７ＲＢアンタゴニストが、自己免疫または炎症性疾患の徴候および／または症状を部分的にまたは完全に減少させるかまたは軽減する、請求項１３または１４に記載の方法。